(57)【要約】【課題】Ｎｏｎ−ＺＩＦタイプであっても、挿入されたフレキシブル基板を確実に抜け止めでき、同時に有害電磁波を確実に遮断できるフレキシブル基板用のコネクタを提供すること。【解決手段】フレキシブル基板２０が挿抜されるハウジング３０と、ハウジング３０に、これに挿入されたフレキシブル基板２０の係合部２３に対向して設けられ、係合部２３と係合するためのロック部材４０と、ハウジング３０に、その側部を囲むように設けられたシールド板５０とを備え、シールド板５０に、ハウジング３０に挿入されたフレキシブル基板２０のシールド箔２２に対向するようにバネ部６０を形成し、バネ部６０は、シールド箔２２に弾接してフレキシブル基板２０をその係合部２３がコネクタ１０のロック部材４０に押し付けられる方向に付勢するものである。【選択図】図３
2008027707.tif 000002
【特許請求の範囲】
【請求項１】
フレキシブルな基板本体と、該基板本体の一側面に設けられたシールド箔と、上記基板本体の他側面に設けられた抜け止め用の係合部とを有するフレキシブル基板が接続されるＮｏｎ−ＺＩＦタイプのコネクタであって、
上記フレキシブル基板が挿抜されるハウジングと、該ハウジングに、これに挿入された上記フレキシブル基板の上記係合部に対向して設けられ、上記係合部と係合するためのロック部材と、上記ハウジングに、その側部を囲むように設けられたシールド板とを備え、  該シールド板に、上記ハウジングに挿入された上記フレキシブル基板の上記シールド箔に対向するようにバネ部を形成し、該バネ部は、上記シールド箔に弾接して上記フレキシブル基板をその係合部が上記コネクタの上記ロック部材に押し付けられる方向に付勢するものであることを特徴とするフレキシブル基板用のコネクタ。
【請求項２】
上記ハウジングの内部に、上記フレキシブル基板の導体と弾接するための端子を設け、  該端子は、上記フレキシブル基板をその係合部が上記コネクタの上記ロック部材に押し付けられる方向に付勢するものである請求項１に記載のフレキシブル基板用のコネクタ。
【発明の詳細な説明】
【技術分野】
【０００１】
本発明は、ＦＰＣ（フレキシブル・プリント・サーキット）やＦＦＣ（フレキシブル・フラット・ケーブル）等のフレキシブル基板が挿抜されるＮｏｎ−ＺＩＦタイプのコネクタに係り、特に、有害電磁波を遮断するシールド機能付きのコネクタに関する。
【背景技術】
【０００２】
近年、各種の電子機器で処理される情報量の増大に伴って、電子機器内で情報伝達の役割を演ずるフレキシブル基板及びそれが接続されるコネクタに対し、高周波ノイズ対策を講ずる必要が高まっている。
【０００３】
この対策として、コネクタの側部に金属製のシールド板を取り付け、有害電磁波を遮断するようにしたものが知られている（特許文献１）。また、フレキシブル基板の一側面に金属製のシールド箔をコーティングしたものも知られている。
【０００４】
【特許文献１】特開２００３−１６８５２３号公報
【発明の開示】
【発明が解決しようとする課題】
【０００５】
上記特許文献１に記載されたコネクタはＺＩＦタイプであるが、この種のコネクタには、フレキシブル基板の挿抜をワンタッチででき、しかも広い作業空間を要しないＮｏｎ−ＺＩＦタイプが望まれることが多い。しかし、Ｎｏｎ−ＺＩＦタイプのコネクタは、挿入されたフレキシブル基板をコネクタ内に設けられた端子の弾性力のみによって押圧保持するものなので、フレキシブル基板の抜け止め対策が必要となる。
【０００６】
そこで、挿入されたフレキシブル基板を確実に抜け止めでき、同時に有害電磁波を確実に遮断できるＮｏｎ−ＺＩＦタイプのコネクタの開発が課題となっている。
【課題を解決するための手段】
【０００７】
上記課題を解決するために本発明は、フレキシブルな基板本体と、該基板本体の一側面に設けられたシールド箔と、上記基板本体の他側面に設けられた抜け止め用の係合部とを有するフレキシブル基板が接続されるＮｏｎ−ＺＩＦタイプのコネクタであって、上記フレキシブル基板が挿抜されるハウジングと、該ハウジングに、これに挿入された上記フレキシブル基板の上記係合部に対向して設けられ、上記係合部と係合するためのロック部材と、上記ハウジングに、その側部を囲むように設けられたシールド板とを備え、該シールド板に、上記ハウジングに挿入された上記フレキシブル基板の上記シールド箔に対向するようにバネ部を形成し、該バネ部は、上記シールド箔に弾接して上記フレキシブル基板をその係合部が上記コネクタの上記ロック部材に押し付けられる方向に付勢するものである。
【０００８】
上記ハウジングの内部に、上記フレキシブル基板の導体と弾接するための端子を設け、該端子は、上記フレキシブル基板をその係合部が上記コネクタの上記ロック部材に押し付けられる方向に付勢するものであることが好ましい。
【発明の効果】
【０００９】
本発明に係るフレキシブル基板用のコネクタによれば、Ｎｏｎ−ＺＩＦタイプであっても、挿入されたフレキシブル基板を確実に抜け止めでき、同時に有害電磁波を確実に遮断できる。
【発明を実施するための最良の形態】
【００１０】
本発明の好適実施形態を添付図面に基づいて説明する。
【００１１】
図１、図２に示すコネクタ１０（Ｎｏｎ−ＺＩＦタイプ）には、図３、図４に示すようにフレキシブル基板２０が挿入される。
【００１２】
図３、図４に示すように、フレキシブル基板２０は、フレキシブルな基板本体２１と、その基板本体２１の一側面に設けられたシールド箔２２と、基板本体２１の他側面に設けられた抜け止め用の係合部２３とを有する。
【００１３】
基板本体２１は、ポリエステル等の絶縁材から成る一対のベースフィルム２４と、それらの間に挟まれ且つ幅方向に間隔を隔てて複数配置された導体２５とを有する。導体２５は、一方のベースフィルム２４の先端部分が除去されることで、基板本体２１の一側面の先端部分にて露出されている。
【００１４】
シールド箔２２は、導体２５が露出された側のベースフィルム２４の上に、その長手方向に沿って銅やアルミ等の導電性金属がコーティングされる等して形成されている。シールド箔２２の上には、コネクタ１０内に植設された後述の端子７０の接触部７１と接触する先端部分を除き、絶縁材からなる防護層２６が形成されている。
【００１５】
係合部２３は、導体２５が露出されない側のベースフィルム２４の上に貼付された補強板２７と、補強板２７に開口された係合窓２８とからなる。補強板２７は、適度な剛性と撓性とを兼ね備えたポリエチレンテレフタレートの如き材料からなり、係合窓２８は本実施形態では基板本体２１の幅方向に間隔を隔てて２個形成されている。
【００１６】
図１〜図４に示すように、コネクタ１０は、Ｎｏｎ−ＺＩＦタイプであり、フレキシブル基板２０が挿抜されるハウジング３０と、ハウジング３０に、これに挿入されたフレキシブル基板２０の係合部２３に対向して設けられ、係合部２３と係合するためのロック部材４０と、ハウジング３０に、その側部を囲むように設けられたシールド板５０と、シールド板５０に、ハウジング３０に挿入されたフレキシブル基板２０のシールド箔２２に対向するように形成されたバネ部６０とを備えている。
【００１７】
ハウジング３０は、ＰＰＳ（ポリフェニレンサルファイド）等の絶縁材からなり、上部にフレキシブル基板２０が挿抜される挿抜口３１を有し、内部に挿抜口３１に繋げてフレキシブル基板２０が挿入されるように形成された挿入空間３２を有する。また、ハウジング３０の内部には、挿抜空間３２に挿入されたフレキシブル基板２０の導体２５と弾接するための端子７０が複数植設されている。端子７０は、フレキシブル基板２０の導体２３と弾接する接触部７１と、ハウジング３０に形成された圧入溝３３に圧入される圧入部７２と、図示しない回路基板の信号用ランドに半田付けされるテール部７３とからなっている。
【００１８】
ロック部材４０は、ハウジング３０の上部に凹設された固定部３４に挿入される舌部４１と、舌部４１の下端に設けられハウジング３０に形成された係合面３５に引っ掛かるアンカーフック４２と、舌部４１と一体的に形成されハウジング３０の挿抜口３１の中央に隣接して配置された本体４３と、本体４３に設けられフレキシブル基板２０の係合窓２８と係合する係合フック４４とからなり、ハウジング３０と同様に絶縁材から構成されている。なお、本実施形態では、フレキシブル基板２０の係合窓２８が基板２０の幅方向に間隔を隔てて設けられているので、これに合わせてロック部材４０の係合フック４４も挿抜口３１の長手方向に間隔を隔てて設けられているが、係合窓２８を１個又は間隔を隔てて３個以上とし、これに合わせて係合フック４４を１個又は間隔を隔てて３個以上としてもよい。
【００１９】
シールド板５０は、ハウジング３０の側部を囲むように折り曲げられた金属板（鉄、ステンレス等）からなり、図１、図３に示すようにハウジング３０の一側面の下部に形成された第１固定穴３６に挿入される第１固定舌部５１と、図２、図４に示すようにハウジング３０の他側面の下部に形成された第２固定穴３７に挿入される第２固定舌部５２と、ハウジング３０の他側面の上部に形成された固定縁部３８に係合されるように断面逆さＪ字状に形成された折返し部５３と、図示しない回路基板のアース用ランドに半田付けされるアーステール部５４とを備えている。第１固定穴３６と第２固定穴３７とは、それぞれハウジング３０の一側面と他側面との下部に突出して形成された第１ブロック３６１と第２ブロック３７１とに形成される。第１固定舌部５１と第２固定舌部５２と折返し部５３とは、シールド板５０の一部を切り起こす等して形成される。
【００２０】
バネ部６０は、図１、図３に示すように、シールド板５０の一部を切り起こすことで形成された板バネからなり、ハウジング３０の内方に向けて傾斜された傾斜部６１と、傾斜部６１の先端に断面円弧状に形成されてフレキシブル基板２０のシールド箔２２に弾接する弾接部６２とを有する。バネ部６０は、その弾接部６２がシールド箔２２に弾接することで、フレキシブル基板２０を一側面側（シールド箔２２が設けられた側）から他側面側（係合部２３が設けられた側）の方向に付勢するものである。なお、バネ部６０は、本実施形態ではコネクタ１０の幅方向に間隔を隔てて３個配置されているが、１個でもよく、間隔を隔てて２個又は４個以上配置してもよい。
【００２１】
以上の構成からなる本実施形態の作用を述べる。
【００２２】
図３、図４に示すように、フレキシブル基板２０をコネクタ１０に挿入すると、コネクタ１０内の端子７０の接触部７１がフレキシブル基板２０の導体２５に乗り上がって弾性変形し、コネクタ１０のシールド板５０に形成されたバネ部６０がフレキシブル基板２０のシールド箔２２に乗り上がって弾性変形し、コネクタ１０のロック部材４０の係合フック４４がフレキシブル基板２０の補強板２７に形成された係合窓２８と係合する。
【００２３】
コネクタ１０の係合フック４４がフレキシブル基板２０の係合窓２８に係合することで、フレキシブル基板２０がコネクタ１０から抜け止めされる。詳しくは、係合フック４４が係合窓２８の下枠面２９に引っ掛かって係止され、フレキシブル基板２０が抜け止めされる。
【００２４】
コネクタ１０の端子７０の接触部７１がフレキシブル基板２０の導体２５に弾接することで、フレキシブル基板２０の導体２５を流れる電流が、端子７０を介し、コネクタ１０が実装された図示しない回路基板の信号用ランドに流れる。すなわち、フレキシブル基板２０と回路基板とが電気的に接続される。
【００２５】
コネクタ１０のシールド板５０に形成されたバネ部６０がフレキシブル基板２０のシールド箔２２に弾接することで、フレキシブル基板２０のシールド箔２２に飛び込んできた有害電磁波が、バネ部６０を介してコネクタ１０のシールド板５０に至り、図１に示すシールド板５０のアーステール部５４を通って図示しない回路基板のアース用ランドにアースされる。また、ハウジング３０の側部を囲むように形成されたシールド板５０は、コネクタ１０に挿入されたフレキシブル基板２０の導体２５を電磁気的に遮蔽する。
【００２６】
また、フレキシブル基板２０をコネクタ１０に挿入すると、バネ部６０がフレキシブル基板２０を図３の左方に押圧するので、図４に示すフレキシブル基板２０の係合窓２８がコネクタ１０の係合フック４４に押し付けられ、それらの係合が解け難い状態となる。すなわち、フレキシブル基板２０のコネクタ１０から飛び出た部分を図４において右方に湾曲させることで係合窓２８が係合フック４４から外れてフレキシブル基板２０が抜去可能となるところ、図３に示すバネ部６０が挿抜口３１の直下のフレキシブル基板２０の部分を図３、図４の左方に押圧するので、挿抜口３１の直上に位置する係合窓２８が係合フック４４に押し付けられることになり、それらの係合が解け難くなる。
【００２７】
よって、フレキシブル基板２０のコネクタ１０から飛び出た部分を意識的に図４の右方に湾曲させない限り、係合窓２８が係合フック４４から外れることはなく、フレキシブル基板２０が意に反してコネクタ１０から外れることはない。すなわち、バネ部６０のシールド箔２２への押し付け力（フレキシブル基板２０の挿入により弾性変形したバネ部６０の復元力）は、シールド箔２２とシールド板５０とを電気的に確実に接続するための力であると同時に、係合窓２８を係合フック４４に押し付けてフレキシブル基板２０の抜け止めを保持するための力としても機能する。従って、Ｎｏｎ−ＺＩＦタイプのコネクタ１０であっても、挿入されたフレキシブル基板２０を確実に抜け止めでき、同時に有害電磁波を確実に遮断できる。
【００２８】
また本実施形態に係るコネクタ１０では、図１に示すように、３個のバネ部６０と２個の係合フック４４とを、挿抜口３１の幅方向（コネクタ１０に挿入されたフレキシブル基板２０の幅方向）に交互に配置し、各バネ部６０が各係合フック４４を上記幅方向に挟むように配置されているので、コネクタ１０に挿入されたフレキシブル基板２０の係合窓２８を的確に係合フック４４に押し付けることができる。
【００２９】
また、ハウジング３０内に植設された端子７０もコネクタ１０に挿入されたフレキシブル基板２０を図４の左方に押圧するので、その押圧力によってフレキシブル基板２０が左方に押圧されて係合窓２８が係合フック４４に押し付けられる。よって、フレキシブル基板２０の挿入により弾性変形した端子７０の復元力も、フレキシブル基板２０の抜け止めに寄与する。
【図面の簡単な説明】
【００３０】
【図１】本発明の一実施形態に係るフレキシブル基板用のコネクタの斜視図である。
【図２】図１のコネクタを反対側から見た斜視図である。
【図３】図１、図２のIII−III線断面図である。
【図４】図１、図２のIV−IV線断面図である。
【符号の説明】
【００３１】
１０  コネクタ（Ｎｏｎ−ＺＩＦタイプ）
２０  フレキシブル基板
２１  基板本体
２２  シールド箔
２３  係合部
３０  ハウジング
４０  ロック部材
５０  シールド板
６０  バネ部
７０  端子
【図１】
2008027707.tif 000003
【図２】
2008027707.tif 000004
【図３】
2008027707.tif 000005
【図４】
2008027707.tif 000006